(57)【要約】【課題】制光体を器具本体の下端開口部に配置する取付け作業性を向上できるとともに、取付けられた制光体の上下のがたつきを抑制できる照明器具を提供する。【解決手段】器具本体2の制光体支持壁間に形成された下面開口部に配置されるバッフル21を、枢支機構により、回動可能で、かつ、下面開口部内で横移動可能に支持する。収容位置にバッフルを保持する支持機構31を備え、この機構が、制光体支持壁7から略水平に切起こされた支持片32と、バッフルの自由端部25に設けられた係合板部33、係合突起34、及び係合溝35と、板ばね38とを備える。支持片に上側から接離される係合板部から下向きに係合突起を折り曲げる。支持片に着脱可能に上側から嵌合される係合溝は、係合板部を底として下向きに開放され係合突起で片側が仕切られている。板ばねは、下面開口部にバッフルが収容される際支持片に対し自由端部の高さ位置を仮に規制し、かつ、係合溝に嵌合された支持片と係合板部との接触を保持することを特徴としている。【選択図】図３
2011054362.tif 000002
【特許請求の範囲】
【請求項１】
相対向する制光体支持壁を有し、これら支持壁の下端部間に下面開口部が形成された器具本体と；
回動端部及び自由端部を有して前記下面開口部に配置される制光体と；
前記制光体支持壁又は前記回動端部の内の一方に形成された長孔、及び他方に取付けられ前記長孔に対して相対的に回動可能でかつ前記長孔が延びる方向に相対的に移動可能に前記長孔に挿入された軸を備え、前記制光体が前記下面開口部を開いて垂れ下がる開放位置と前記下面開口部に配置される収容位置とにわたって回動可能に前記制光体を支持するとともに、前記下面開口部内で前記長孔が延びる方向に移動可能に前記制光体を支持する枢支機構と；
前記制光体支持壁から略水平に切起こされた支持片、前記自由端部に設けられて前記支持片に上側から接離される係合板部、この係合板部から下向きに折り曲げられた係合突起、前記係合板部を底として下向きに開放されるとともに前記係合突起で片側を仕切られて前記自由端部に形成され前記支持片に上側から着脱可能に嵌合される係合溝、及び前記制光体が前記収容位置に配置される際前記支持片に対して前記自由端部の高さ位置を仮に規制するとともに、前記係合溝に嵌合された前記支持片と前記係合板部との接触を保持させる板ばねを備えて、前記収容位置に前記制光体を支持する支持機構と； 
を具備することを特徴とする照明器具。
【請求項２】
前記板ばねが前記係合板部の下面に固定されていて、前記収容位置に前記制光体が支持された状態で、前記係合溝に係合された前記支持片を前記板ばねと前記係合板部とで挟持することを特徴とする請求項１に記載の照明器具。
【請求項３】
前記板ばねが前記係合板部の長手方向の端から前記係合板部がその長手方向に延長する方向に突出されていることを特徴とする請求項２に記載の照明器具。
【発明の詳細な説明】
【技術分野】
【０００１】
本発明は、器具本体が有する下面開口部にルーバ等の制光体が取付けられた照明器具に関する。
【背景技術】
【０００２】
下面が開口された器具本体の長手方向一端部に、光制御部材例えばルーバの長手方向一端部を回動自在でかつ器具本体の長手方向に移動可能に枢支部で枢支するとともに、器具本体の長手方向他端の壁に設けた角穴からなる係止孔に係脱可能な略鈎状の係止片をルーバの他端部に設けて、この係止孔に係止片を引掛けることにより器具本体の下面開口部にルーバが取付けられるようにした照明器具が、従来技術として知られている（例えば、特許文献１参照。）。
【０００３】
この照明器具の枢支部は、ルーバの長手方向一端に固定された枢軸と、器具本体の側壁にその長手方向に延びて設けられ枢軸がスライド自在に通る長穴からなるガイド部とで形成されている。一方、係止片は係止孔に貫通させて落とし込むことでこの係止孔に引っ掛かるようになっている。
【０００４】
この照明器具で器具本体の下面開口部を閉じるようにルーバを配設するには、係止孔から最も離れたガイド部の一端部に枢軸を支持させた状態で、ルーバをそれが器具本体の下面開口部に収まるように回動させて、係止片を係止孔に位置合わせした後、ガイド部に沿ってルーバを係止孔側に水平移動させることにより係止片を係止孔に貫通させ、この状態で係止片を係止孔に落とし込んで実施される。
【先行技術文献】
【特許文献】
【０００５】
【特許文献１】特開2005−38790号公報（段落0016−0022、図１−図５）
【発明の概要】
【発明が解決しようとする課題】
【０００６】
しかし、従来技術では、ルーバの係止片を器具本体の係止孔に位置合わせする際に、この位置合わせの規制がない。そのため、ルーバを水平移動させて係止片を係止孔に容易に貫通させ難く、作業に手間が掛かる。
【０００７】
更に、ルーバの係止片は器具本体の係止孔に落とし込んで引っ掛かっているので、振動を受けた際にルーバが上下にがたつき易い。これに伴い、係止片が係止孔から外れて器具本体に対しルーバの他端が支持されなくなって、不用意にルーバが開く恐れが考えられる。
【０００８】
以上のように従来技術では、ルーバ等の光制御部材を器具本体の下端開口部に配置する取付け作業性がよくないとともに、取付けられた光制御部材が上下にがたつき易い、という課題がある。
【課題を解決するための手段】
【０００９】
前記課題を解決するために、請求項１の発明は、相対向する制光体支持壁を有し、これら支持壁の下端部間に下面開口部が形成された器具本体と；回動端部及び自由端部を有して前記下面開口部に配置される制光体と；前記制光体支持壁又は前記回動端部の内の一方に形成された長孔、及び他方に取付けられ前記長孔に対して相対的に回動可能でかつ前記長孔が延びる方向に相対的に移動可能に前記長孔に挿入された軸を備え、前記制光体が前記下面開口部を開いて垂れ下がる開放位置と前記下面開口部に配置される収容位置とにわたって回動可能に前記制光体を支持するとともに、前記下面開口部内で前記長孔が延びる方向に移動可能に前記制光体を支持する枢支機構と；前記制光体支持壁から略水平に切起こされた支持片、前記自由端部に設けられて前記支持片に上側から接離される係合板部、この係合板部から下向きに折り曲げられた係合突起、前記係合板部を底として下向きに開放されるとともに前記係合突起で片側を仕切られて前記自由端部に形成され前記支持片に上側から着脱可能に嵌合される係合溝、及び前記制光体が前記収容位置に配置される際前記支持片に対して前記自由端部の高さ位置を仮に規制するとともに、前記係合溝に嵌合された前記支持片と前記係合板部との接触を保持させる板ばねを備えて、前記収容位置に前記制光体を支持する支持機構と；を具備することを特徴としている。
【００１０】
この発明で、枢支機構の軸は、制光体支持壁に設けることができる他、これに代えて制光体の回動端部に設けることができ、この軸が挿入される枢支機構の長孔は、前者の場合制光体の回動端部に設けられ、後者の場合制光体支持壁に設けられる。そのため、この発明で、長孔と軸が相対的に回動可能であるとは、前記前者の場合、固定の軸に対して制光体の長孔が回動可能であることを指しており、前記後者の場合、固定の長孔に対して制光体の軸が回動可能であることを指している。同様の理由から、この発明で、長孔と軸とが相対的に長孔が延びる方向に移動可能であるとは、前記前者の場合、固定の軸に対して制光体の長孔がこの長孔が延びる方向に移動できることを指しており、前記後者の場合、固定の長孔に対してこの長孔が延びる方向に制光体の軸が移動できることを指している。
【００１１】
更に、この発明で、制光体支持壁の支持片が略水平であるとは、制光体支持壁に対して支持片が直角に曲げられている場合を含むことは勿論のこと、直角な曲げ角度に対する寸法公差のばらつき範囲を含んでいる。この発明で、板ばねは、制光体の自由端部に固定することができるとともに、これに代えて制光体支持壁に固定することもできる。又、この発明で、制光体が収容位置に配置される際支持片に対して自由端部の高さ位置を板ばねが仮に規制するとは、板ばねが制光体の自由端部に固定されている場合には、この板ばねが支持片に下方から当たって、それ以上、制光体が上向きに移動しようとすることに対して板ばねが一時的な抵抗となる状態を指している。同様に、板ばねが制光体支持壁に固定されている場合には、この板ばねに下方から制光体の自由端部が当たって、それ以上、制光体が上向きに移動しようとすることに対して板ばね一時的な抵抗となる状態を指している。
【００１２】
請求項１の発明で、設置作業者により枢支部を支点に上向きに回動される制光体が、器具本体の下面開口部に収容される際、この制光体が器具本体の下面開口部に略適正に収容された時点で、制光体の自由端部の高さ位置が板ばねの抵抗によって仮に規制される。この規制により、固定の支持片に対して制光体の自由端部の高さ位置が略適正に合わされる。次に、設置作業者は、制光体の自由端部を係合突起の高さ寸法以上板ばねのばね力に抗して押上げた状態で、制光体を支持片に向けて枢支機構の長孔が延びる方向に移動させてから、制光体の自由端部を自重により下げて係合溝を支持片に上側から嵌合させる。この場合、既述のように仮の規制状態を経て実施されるので、容易に制光体の係合溝を制光体支持壁の支持片に嵌合させることができる。こうして制光体が収容位置に支持された状態では、支持片と係合溝との嵌合により長孔が延びる方向に制光体が移動することが防止されるとともに、係合溝に嵌合された支持片の上側に係合板部が引掛っているので制光体が下方に回動されることも防止される。しかも、板ばねにより支持片への係合板部の上側からの接触を保持するので、下面開口部に収容された制光体が振動により上下にがたつくことを抑制できる。
【００１３】
請求項２の発明は、請求項１において、前記板ばねが前記係合板部の下面に固定されていて、前記収容位置に前記制光体が支持された状態で、前記係合溝に係合された前記支持片を前記板ばねと前記係合板部とで挟持することを特徴としている。
【００１４】
この発明では、制光体が器具本体の下面開口部に配置された状態で、略水平な支持片を板ばねが係合板部との間に挟むので、支持片が垂直に切起こされている場合に比較して、板ばねが過大に変形することがない。このため、板ばねに対する負荷が小さく板ばねがヘたり難いので、この板ばねで制光体の上下のがたつきをより確実に抑制できる。
【００１５】
請求項３の発明は、請求項２において、前記板ばねが前記係合板部の長手方向の端から前記係合板部がその長手方向に延長する方向に突出されていることを特徴としている。
【００１６】
この発明では、器具本体の下面開口部に制光体を収容する際に、板ばねの係合板部から突出した端部が、制光体支持壁の支持片に下側から確実に当たるので、支持片に対して制光体の自由端部の高さ位置を仮に規制する作業が容易かつ確実である。
【発明の効果】
【００１７】
請求項１の発明によれば、制光体を器具本体の下端開口部に配置する取付け作業性を向上できるとともに、取付けられた制光体の上下のがたつきを抑制できる、という効果がある。
【００１８】
請求項２の発明によれば、請求項１の発明において、更に、板ばねに対する負荷が小さく制光体の上下のがたつきをより確実に抑制できる、という効果がある。
【００１９】
請求項３の発明によれば、請求項２の発明において、更に、支持片に対して容易かつ確実に制光体の自由端部の高さ位置が仮規制されるに伴い、制光体を器具本体の下端開口部に配置する取付け作業性をより向上できる、という効果がある。
【図面の簡単な説明】
【００２０】
【図１】(Ａ)は本発明の一実施の形態に係る照明器具を示す斜視図である。（Ｂ）はバッフルを外した状態で一実施の形態に係る照明器具を示す斜視図である。
【図２】（Ａ）〜（Ｃ）は一実施形態に係る照明器具の器具本体に対するバッフルの取付け作業を順に示した断面図である。
【図３】（Ａ）は図２（Ａ）中Ｆ３Ａ部を示す拡大図である。（Ｂ）は図２（Ｂ）中Ｆ３Ｂ部を示す拡大図である。（Ｃ）は図２（Ｃ）中Ｆ３Ｃ部を示す拡大図である。
【図４】一実施形態に係る照明器具が備えるバッフルの自由端部側の部位を示す斜視図である。
【図５】一実施形態に係る照明器具が備えるバッフルの自由端部側の部位を図４とは異なる方向から見て示す斜視図である。
【図６】一実施形態に係る照明器具が備える支持機構を示す斜視図である。
【図７】本発明の他の実施の形態に係る照明器具が備える支持機構を示す斜視図である。
【図８】（Ａ）〜（Ｄ）は他の実施形態に係る照明器具の器具本体に対するバッフルの取付け作業を順に示した断面図である。
【発明を実施するための形態】
【００２１】
以下、図１〜図６を参照して本発明の一実施の形態について、詳細に説明する。
【００２２】
図１（Ａ）（Ｂ）中符号１はシステム天井用の照明器具を示している。この照明器具１は、器具本体２と、設備プレート９と、反射板１１，１２と、ランプソケット１４，１５と、光源である蛍光ランプ１７，１８と、制光体例えばバッフル２１等を備えている。
【００２３】
器具本体２は、金属製であり、前後左右の側壁３〜６を連結してなる正方形の枠体内に例えば二枚の中間壁７，８を取付けて形成されている。中間壁７，８は互いに平行な左右の側壁５，６間にこれらに平行に設けられて、その長手方向両端が前後の側壁３，４に連結されている。側壁５及び中間壁７は相対向していて制光体支持壁を兼ねており、これらの下端部間に図１（Ｂ）に示すように長方形の下面開口部２ａが形成されている。同様に、側壁６及び中間壁８は相対向していて制光体支持壁を兼ねており、これらの下端部間にも図１（Ｂ）に示すように長方形の下面開口部２ｂが形成されている。
【００２４】
図２（Ａ）〜（Ｃ）に示すように前後の側壁３，４は、その上端から折れ曲がって制光体支持壁の長手方向の端部を上側から覆う上面カバー部３ａ，４ａを有している。相対向する中間壁７，８間の下面開口は図１（Ａ）に示した設備プレート９で塞がれている。この設備プレート９には、必要に応じて非常灯、スピーカ、煙感知器等が取付けられる。
【００２５】
なお、図１〜図３中符号１０は側壁３，４の外面に装着された設置金具を示している。この設置金具１０はシステム天井のＴバーに上方から引掛って、Ｔバーから器具本体２が落下しないようにするために設けられている。
【００２６】
図１（Ｂ）に示すように反射板１１，１２の内の一方は側壁５と中間壁７との間に配置され、他方は側壁６と中間壁８との間に配置されている。
【００２７】
図１（Ｂ）に示すようにランプソケット１４は側壁５と中間壁７との間において例えば側壁４の内面に装着されている。同様に、ランプソケット１５は側壁６と中間壁８との間において例えば側壁４の内面に装着されている。
【００２８】
蛍光ランプ１７，１８は例えば片口金型のものである。一方の蛍光ランプ１７は、ランプソケット１４に取外し可能に支持されて、反射板１１に対向して側壁５と中間壁７との間に配置されている。同様に、他方の蛍光ランプ１８は、ランプソケット１５に取外し可能に支持されて、反射板１２に対向して側壁６と中間壁８との間に配置されている。図１（Ｂ）中符号１９ａ，１９ｂは夫々側壁３の上面カバー部３ａに固定されたランプホルダを示しており、これらランプホルダ１９ａ，１９ｂは蛍光ランプ１７，１８の先端部を支持している。なお、蛍光ランプ１７，１８には両口金型の蛍光ランプを使用でき、この場合、側壁３，４の内面に夫々ランプソケットを装着して、これらにわたって蛍光ランプ１７，１８を取外し可能に支持させればよい。
【００２９】
図４及び図５に示すようにバッフル（制光体）２１は、金属製であって、複数の制光部材を組み合わせて形成されている。具体的には、バッフル２１は、横方向（水平方向）に延びるとともに互いに平行に設けられた一対のバー材２２と、これらバー材２２の下端部間にわたって設けられかつ互いに平行な多数の制光板２３とを備えている。各制光板２３は遮光角を規定している。
【００３０】
バッフル２１の長手方向の一端部をなしたバー材２２の一端部は、図２（Ａ）〜（Ｃ）に示す回動端部２４として用いられている。バッフル２１の長手方向の他端部をなしたバー材２２の他端部は、図２（Ａ）〜（Ｃ）等に示す自由端部２５として用いられている。
【００３１】
バッフル２１を下面開口部２ａ，２ｂに夫々配置するために、照明器具１は、枢支機構２６と、支持機構３１を備えている。
【００３２】
枢支機構２６により、バッフル２１は、それが下面開口部２ａ，２ｂを開いて垂れ下がる開放位置と、図１（Ｂ）に示すように下面開口部２ａ，２ｂに配置される収容位置とにわたって回動可能に支持されている。この枢支機構２６は図２（Ａ）〜（Ｃ）に示すように長孔２７と軸２８を備えている。
【００３３】
長孔２７は、バッフル２１の回動端部２４にバー材２２の長手方向に延びて設けられている。軸２８は、器具本体２の制光体支持壁、つまり、側壁５とこれに対向した中間壁７の側壁４側の端部に互いに近づく方向に向けて突設されているとともに、側壁６とこれに対向した中間壁８の側壁４側の端部にも、互いに近づく方向に向けて突設されている。軸２８は長孔２７に挿入されている。回動端部２４と軸２８との分離を防止するために、図２（Ａ）〜（Ｃ）に示すように軸２８に止め輪２９が固定されている。なお、部品点数を減らすために、軸２８をねじで形成し、そのねじ頭を止め輪の代わりとすることが可能である。バッフル２１は軸２８を支点に回動可能であるとともに、バッフル２１はその長手方向に長孔２７の長さ範囲内で軸２８に対して移動可能である。
【００３４】
支持機構３１は収容位置に配置されたバッフル２１をその位置に支持するために設けられている、この支持機構３１は、制光体支持部に設けられた支持片３２と、バッフル２１の自由端部２５の内で一方のバー材２２の端部に設けられた係合板部３３、係合突起３４、係合溝３５、及びストッパ部３６と、自由端部２５に取付けられた板ばね３８とを備えている。
【００３５】
図３及び図６に示すように支持片３２は、例えば中間壁（制光体支持壁）７の側壁３側の端部に、側壁５に向けて突出するように略水平に切起こされている。又、中間壁（制光体支持壁）８の側壁３側の端部にも、側壁６に向けて突出するように略水平に切起こされている。
【００３６】
図４〜図６に示すようにバー材２２の上縁は補強のために水平に曲げられていて、その長手方向の端部が係合板部３３として用いられている。係合突起３４は係合板部３３から下向きに折り曲げられている。係合溝３５は、係合板部３３と、係合突起３４と、係合板部３３から下方に直角に連続した溝縁３７とで区画されていて、係合板部３３を底として下向きに開放されている。係合突起３４と溝縁３７はバー材２２の長手方向に対向しており、係合突起３４は係合溝３５の片側を仕切った係合突起３４はバー材２２の長手方向の端に位置されている。この係合突起３４は係合溝３５の入口を広げるテーパ３４ａを有している。
【００３７】
ストッパ部３６は、溝縁３７から直角に折れ曲がるように連続してバー材２２の長手方向に突出されていて、係合突起３４及び係合溝３５に下方から対向している。図３（Ａ）に示すように溝縁３７を基準とするストッパ部３６の長さＬ１は、溝縁３７から係合突起３４の端までの長さＬ２より長い。
【００３８】
板ばね３８は金属製である。図６等に示すように板ばね３８は、その長手方向の一端部をねじ等の固定具により係合板部３３に固定して、この係合板部３３の下面に取付けられている。こうして取付けられた板ばね３８は、図３（Ａ）に示すように係合溝３５を横切るように設けられていて、その固定部を支点に係合板部３３から離れる方向に弾性変形することが可能である。板ばね３８の可動端部３８ａは、係合突起３４を横切るようにして、係合板部３３の長手方向の端からこの係合板部がその長手方向に延長する方向に突出されている。可動端部３８ａの先端の位置とストッパ部３６の先端の位置とは、バッフル２１の長手方向に関して略等しい。
【００３９】
なお、他方のバー材２２は、それに板ばね３８が固定されていなことを除いて前記一方のバー材２２と同じ構成であり、部品の共通化が図られている。これとともに、本実施形態では、既述の一対の枢支機構２６と一箇所の支持機構３１とを用いた三点支持によりバッフル２１を略水平な姿勢で収納位置に支持するが、支持機構３１を一対設けて実施することは可能である。更に、本実施形態のように三点支持の場合、支持機構３１の支持片３２は、中間壁７，８ではなく、側壁５，６に切起こして設けてもよい。
【００４０】
次に、図２及び図３を参照してバッフル２１を器具本体２の下面開口部２ａ，２ｂに配置する手順を説明する。
【００４１】
まず、設置作業者は、器具本体２の枢支機構２６に枢支されているバッフル２１を、略水平となるように回動させて、器具本体２の下面開口部２ａ，２ｂに収容する。これとともに、下面開口部２ａ，２ｂに収容されたバッフル２１を側壁４に寄るように横方向に移動させて、側壁４から遠い方の長孔２７の端に軸２８を位置させる。こうした第１横方向移動位置へのバッフル２１の配置は、固定の軸２８に対して長孔２７が移動されることで許容される。
【００４２】
このようにバッフル２１が第１横移動位置に配置された状態を図２（Ａ）に示す。これとともに、同配置状態での支持機構３１の状態は図３（Ａ）に示されていて、器具本体２の支持片３２の下方にバッフル２１の自由端部２５があって、板ばね３８の可動端部３８ａ及びこの下側に位置されたストッパ部３６が支持片３２の直下に対向している。
【００４３】
次に、この状態で、設置作業者は、バッフル２１の自由端部２５側を押上げ、バッフル２１を枢支機構２６の軸２８を支点に上向きに回動させる。それにより、板ばね３８の可動端部３８ａが固定の支持片３２に下側から当たる。この当接は、既述のように板ばね３８の可動端部３８ａが係合板部３３から突出されていることにより、確実に実現させることができる。
【００４４】
この当接により、可動端部３８ａが係合板部３３の下面から次第に離れるように板ばね３８が弾性変形を開始する。したがって、板ばね３８による押上げ抵抗の増加で、バッフル２１の自由端部２５の高さ位置が仮に規制される。この規制により、支持片３２に対して自由端部２５の高さ位置が略適正位置に到達したこと、言い換えれば、バッフル２１が下面開口部２ａ，２ｂに対して略所定の深さまで収容されたことを、設置作業者が知覚できる。
【００４５】
そして、引き続く自由端部２５側の押上げ操作の継続に伴い、板ばね３８を弾性変形させながら、支持機構３１の係合突起３４を略水平な支持片３２の上側に配置できる。この状態を図２（Ｂ）に示す。これとともに、同配置状態での支持機構３１の状態は図３（Ｂ）に示されており、板ばね３８は、その可動端部３８ａ側が係合板部３３に対してより大きく離れるように弾性変形している。
【００４６】
この後、設置作業者は、バッフル２１を側壁３に向けて横移動させる。この横移動は、固定の軸２８に対して長孔２７が移動されることで許容される。なお、こうした横移動ができない場合には、係合突起３４が支持片３２に横方向から引っ掛かっているので、再度、バッフル２１の自由端部２５を若干押上げながらバッフル２１を側壁３方向に横移動させればよい。
【００４７】
こうした手順により、バッフル２１の自由端部２５と支持片３２との相対位置が変わって、係合突起３４が支持片３２の上側を側壁３に向けて通過し、その直後に係合溝３５が支持片３２の真上に対向するようになる。第２横移動位置にバッフル２１が移動された状態で、自由端部２５に加えている操作力が消失するように操作をすると、自由端部２５が自重により下がるので、係合溝３５が支持片３２に上側から嵌合される。この場合、係合突起３４が係合溝３５に臨んだテーパ３４ａを有しているので、第２横移動位置が多少ばらついても、テーパ３４ａでのガイド作用により係合溝３５を支持片３２に円滑に嵌合させることができる。更に、こうした嵌合を可能とする自由端部２５の下方への変位に伴い、板ばね３８が自由状態に戻るように復元される
係合溝３５が支持片３２に嵌合された状態を図２（Ｃ）に示す。これとともに、同配置状態での支持機構３１の状態は図３（Ｃ）に示されており、支持片３２に上方から係合板部３３が引っ掛かって支持されているとともに、この係合板部３３と板ばね３８との間に支持片３２が挟持されている。
【００４８】
以上の手順により、下面開口部２ａ，２ｂに対して適正な収容状態にバッフル２１を配設できる。こうした手順では、係合突起３４を器具本体２の孔に挿入させないので、格別な位置合わせを必要としない。しかも、既述のように固定の支持片３２の上側に係合突起３４を通過させた上で、自由端部２５を下げることに伴い係合溝３５を支持片３２に上側から嵌合させることができる。これとともに、前記嵌合と同時に支持片３２が係合板部３３と板ばね３８との間に挟まれるので、支持片３２を係合板部３３との接触を板ばね３８で保持することができる。したがって、バッフル２１を器具本体２下面開口部２ａ，２ｂの夫々に容易に配設できる。
【００４９】
更に、以上の手順において、バッフル２１の自由端部２５が想定以上に押上げられようとした場合、ストッパ部３６の上縁が支持片３２にその下側から当たる。このため、それ以上、過度に板ばね３８が弾性変形して、この板ばね３８がヘたることを防止できる。
【００５０】
しかも、図２（Ｂ）の状態から図２（Ｃ）の状態となるようにバッフル２１が第２横移動位置に移動された直後に、ストッパ部３６の先端が側壁３に当たるので、板ばね３８の可動端部３８ａが側壁３に押し当たって過度に変形することが防止される。これとともに、ストッパ部３６が側壁３に当たってバッフル２１の横移動が止められることにより、係合溝３５が支持片３２の真上に対向するようにバッフル２１が第２横移動位置に位置決めされるので、支持片３２への係合溝３５の嵌合を円滑に行うことができる。
【００５１】
以上のように器具本体２に支持されたバッフル２１は、支持片３２と係合溝３５との嵌合により下面開口部２ａ，２ｂの長手方向に不用意に移動することが防止される。これとともに、係合溝３５に嵌合された支持片３２の上側に係合板部３３が引掛っているので、バッフル２１が枢支機構２６を支点に下方に不用意に回動されることも防止される。しかも、支持片３２への係合板部３３の上側からの接触が板ばね３８により保持されているので、下面開口部２ａ，２ｂに収容されたバッフル２１が振動により上下にがたつくことを抑制できる。したがって、バッフル２１の器具本体２に対する支持状態を安定させることができる。
【００５２】
しかも、バッフル２１の収容状態では、既述のように板ばね３８が略水平な支持片３２を係合板部３３との間に挟んでいる。このため、支持片３２が水平ではなく垂直に切起こされている場合に比較して、板ばね３２が過大に変形された状態に保持されることがない。よって、板ばね３２に対する負荷が小さく板ばね３２がヘたり難いので、この板ばね３８でバッフル２１の上下のがたつきをより確実に抑制できる。
【００５３】
更に、支持片３２が略水平であるので、係合突起３４とストッパ部３６との間の隙間Ｇ（図５参照）を狭くできる。そのため、バッフル２１が有したバー材２２の高さ寸法Ｈ（図５参照）を短くできるに伴い、バッフル２１を薄く形成する上で好ましい。
【００５４】
なお、蛍光ランプ１７，１８を交換する場合等バッフル２１を開く場合には、以上の手順と逆の手順により、一対の枢支機構２６でバッフル２１を吊り下げた状態に開くことができる。
【００５５】
又、図２（Ａ）〜（Ｃ）中符号４１は、下面開口部の幅方向に対向する制光体支持壁の下端部に設けられた複数のノックアウト予定部を示している。このノックアウト予定部４１は外力を加えることによって除去され、その跡に開いた孔が制光体支持孔として用いられるようになっている。このため、バッフル２１に代えて他の制光体（図示しない）を器具本体２に取付ける場合、他の制光体が有する引掛け部を前記制光体支持孔に夫々引掛けることにより、他の制光体を器具本体２の下面開口部２ａ，２ｂに取付けることができる。
【００５６】
この場合、板ばね３８は先に使用していたバッフル２１とともに外されるので、板ばね３８をバッフル２１とは別に単独に外す手間を要しないとともに、バッフル２１の取外しにより器具本体２の内面に板ばね３８が存在しないので、新たに取付けられた前記他の制光体を通して板ばね３８が視認されることがない。更に、前記他の制光体が器具本体２内への挿入深さが深い場合でも、その挿入に板ばね３８が邪魔にならない。
【００５７】
図７及び図８を参照して本発明の他の実施の形態を説明する。他の実施形態は、以下説明する事項以外は一実施形態と同じであるので、一実施形態と同じ構成については一実施形態と同一符号を付して、その説明を省略する。
【００５８】
図７及び図８の実施形態では、支持機構３１の板ばね３８をバッフル（制光体）２１の係合板部３３に取付けることに代えて、制光体支持壁である中間壁７又は８に板ばね３８がねじ止めされている。この場合、板ばね３８は支持片３２の上側に配置されていて、その可動端部３８ａは略水平に切起こされた支持片３２を基準に側壁４（図２参照）側に位置されている。
【００５９】
この実施形態でのバッフル２１の取付けは、一実施形態と同様であって、図８（Ａ）〜（Ｄ）に示した手順を経て行われる。
【００６０】
図８（Ａ）は、第１横移動位置に配置されたバッフル２１の自由端部２５に対する支持片３２と板ばね３８の位置関係を示していて、一実施形態での図３（Ａ）の状態に対応している。この状態では、自由端部２５は支持片３２及び板ばね３８の下方に位置されているが、係合板部３３は板ばね３８の可動端部３８ａの真下に位置され、ストッパ部３６は支持片３２の直下に位置されている。
【００６１】
図８（Ｂ）は、バッフル２１の自由端部２５側が押上げられた状態を示しており、一実施形態での図３（Ｂ）の状態に対応している。この状態では、係合板部３３が板ばね３８を上向きに弾性変形させており、かつ、係合突起３４は支持片３２より高い位置に配置されているとともに、ストッパ部３６が支持片３２により接近して配置されている。
【００６２】
図８（Ｃ）は、バッフル２１が第２横移動位置に移動された直後の状態を示している。この状態では、板ばね３８が弾性変形されたままで、係合突起３４が支持片３２の上側を通過した状態にあって、係合溝３５は支持片３２の真上に対向している。
【００６３】
図８（Ｄ）は、バッフル２１の自由端部２５側がその自重で下がった状態を示しており、一実施形態での図３（Ｃ）の状態に対応している。この状態では、係合溝３５が支持片３２に上側から嵌合されているとともに、板ばね３８により係合板部３３が支持片３２に上側から接触した状態に保持されていて、バッフル２１は適正位置に取付けられている。
【００６４】
以上の点以外の構成は図７及び図８に示されない構成を含めて一実施形態と同じである。したがって、図７及び図８の実施形態でも、一実施形態で既に説明した理由によって、本発明の課題を解決できる。
【符号の説明】
【００６５】
１…照明器具、２…器具本体、２ａ，２ｂ…下面開口部、５，６…側壁（制光体支持壁）、７，８…中間壁（制光体支持壁）、２１…バッフル（制光体）、２４…回動端部、２５…自由端部、２６…枢支機構、２７…長孔、２８…軸、３１…支持機構、３２…支持片、３３…係合板部、３４…係合突起、３５…係合溝、３８…板ばね、３８ａ…可動端部
【図１】
2011054362.tif 000003
【図２】
2011054362.tif 000004
【図３】
2011054362.tif 000005
【図４】
2011054362.tif 000006
【図５】
2011054362.tif 000007
【図６】
2011054362.tif 000008
【図７】
2011054362.tif 000009
【図８】
2011054362.tif 000010